(57)【要約】【課題】  ムレやカブレがなく、快適な着用感が得られると共に、ファスニングテープの止着が容易な使いすておむつを提供する。【解決手段】  液透過性のトップシートと、液不透過性かつ通気性のバックシートと、これら両シートの間に配置された吸収体とを有し、前身頃と後身頃のうちのいずれか一方の身頃の両側縁部には機械的ファスナーのフック材を備えたファスニングテープが配置され、もう一方の身頃の前記バックシート側の面には前記ファスニングテープと係合可能なフロントシートが配置されてなり、前記フロントシートは、通気性シートからなり、かつ、前記ファスニンゲテープの係合位置確認用の目印が印刷されている使いすておむつ。【選択図】  図２
2005137656.tif 000002
【特許請求の範囲】
【請求項１】
液透過性のトップシートと、液不透過性かつ通気性のバックシートと、これら両シートの間に配置された吸収体とを有し、前身頃と後身頃のうちのいずれか一方の身頃の両側縁部には機械的ファスナーのフック材を備えたファスニングテープが配置され、もう一方の身頃の前記バックシート側の面には前記ファスニングテープと係合可能なフロントシートが配置された展開型の使いすておむつにおいて、前記フロントシートは、通気性シートからなり、かつ、前記ファスニングテープの係合位置確認用の目印が印刷されていることを特徴とする使いすておむつ。
【請求項２】
前記フロントシートは、少なくとも２層の不織布を積層し、各層を熱エンボスにより固定して形成されており、かつ、少なくとも一層に前記ファスニングテープの係合位置確認用の目印が印刷されていることを特徴とする請求項１記載の使いすておむつ。
【請求項３】
前記フロントシートは、少なくとも第１不織布層とその下に配置された第２不織布層とからなり、前記目印は第１不織布に印刷されており、かつ、印刷部には、その上を覆って少なくとも１層のオーバーコート層が設けられていることを特徴とする請求項１又は請求項２に記載の使いすておむつ。
【請求項４】
前記フロントシートは、少なくとも第１不織布層とその下に配置された第２不織布層とからなり、前記目印は第２不織布層上に印刷されており、かつ、第１不織布層の目付が１０〜３０ｇ／ｍ2であることを特徴とする請求項１又は請求項２に記載の使いすておむつ。                                                                        
【発明の詳細な説明】
【技術分野】
【０００１】
本発明は、ファスニングテープを有する展開型の使いすておむつに関するものである。さらに詳しくは、本発明は、ファスニングテープの着脱が容易であり、ムレ、カブレを改善した使いすておむつに関するものである。
【背景技術】
【０００２】
使いすておむつは、液透過性のトップシートと、液不透過性のバックシートと、これら両シートの間に配置された吸収体から基本的に形成されており、着用時に排泄された尿等の排泄物を液透過性のトップシートを介して吸収体に保持し、液不透過性のバックシートにより、排泄物がおむつの外に漏れ出すのを防ぐ構造になっており、その用途に応じて好適に使用できるように展開型、パンツ型等、様々な形態のものが提案されており、乳幼児を始めとして成人失禁者まで広く使用されている。
【０００３】
展開型の使いすておむつは、一般に、後身頃の左右両側縁部にファスニングテープを配置し、前身頃のバックシート表面にファスニングテープを着脱可能に係合するためのフロントテープ（ランディングテープ）を配置し、ファスニングテープをフロントテープに接合することによりおむつを着用者に装着するようになっている。
【０００４】
このようなファスニ．ングテープとフロントテープの組合せとしては、粘着剤層を有するファスニングテープと各種フィルムからなるフロントテープを組合せたもの（例えば、特許文献１、特許文献２、特許文献３）、また、機械的ファスナーのフック材を有するファスニングテープとフック材を係合可能なループ材からなるフロントテープを組合せたもの（例えば、特許文献４、特許文献５、特許文献６）が知られている。しかしながら、粘着剤を用いたファスニングテープは、おむつ装着時に、誤ってファスニングテープをフロントテープ以外の場所に接着させた場合や、粘着剤層の面に汚れが付着した場合には、テープの接着力が低下し、再使用できなくなるという問題点を有している。そのため、最近では、フック材を用いたファスニングテープが主流になっている。
【０００５】
さらに、最近では、ファスニングテープを左右対称に、あるいは所望の締め具合で、速やかに係合することを補助すると共に、見た目にも楽しい図柄を施すことにより装飾的効果を高めるというデザイン的な理由から、フロントテープに係合位置の目印となるマークや絵柄が印刷されている場合があり、例えば、ランディングテープの中央部に絵柄を印刷した細帯状のテープを取付けて、ファスニングテープの係合位置確認用の目印としたもの（特許文献７）、ループ材等を有するフロントシートを構成する基材フィルムにフック材の止着位置の目印が印刷されたもの（特許文献８）、さらに、不織布からなる外面シートあるいはその下側に設けたシートにフック材の止着位置の目安となるターゲット印刷を施したもの（特許文献９）等が開示されている。
【特許文献１】実公平４−２１５３３号公報
【特許文献２】特開昭５８−２０３１０１号公報
【特許文献３】特開昭５９−９４６０４号公報
【特許文献４】特開昭６２−２０６００１号公報
【特許文献５】特開昭６３−３０９６０６号公報
【特許文献６】特開平１−６１５０１号公報
【特許文献７】特開平９−２４８３１６号公報
【特許文献８】特開２００１−７０３４０号公報
【特許文献９】特開２００２−２５３６０８号公報
【発明の開示】
【発明が解決しようとする課題】
【０００６】
しかしながら、ランディングテープを設けるタイプのものの場合、細帯状テープに施した印刷がおむつの製造工程やおむつ着用時の摩擦により剥がれ落ち、製品品質を低下させたり、着用者の衣服や肌を汚してしまうことがある。また、フロントシートを設けたものの場合、フロントシートを構成する基材フィルムが非通気性であったり、通気性が悪いため、おむつ着用時にフロントシートを配置した部分がムレやすくなり、カブレを生じる可能性がある。さらに、フロントシートが用いられていないものの場合は、バックシート上に配置した不織布からなる外面シートに直接フック材を係合しているため、フック材を繰り返して着脱した場合、外面シートが毛羽立って係合力が低下したり、外面シートが破れてしまう可能性があり、また、外面シートに印刷した場合には、おむつの製造工程やおむつ着用時の摩擦により印刷が剥がれ落ち、製品品質を低下させたり、着用者の衣服や肌を汚してしまうことがある。
【０００７】
本発明は、上記従来のフロントシートに印刷を施した使いすておむつの有する問題点を克服し、おむつ着用時に着用者の衣服や肌を汚すことがなく、ムレやカブレがなく、ファスニングテープの止着が容易な、美観の優れた使いすておむつを提供するものである。
【課題を解決するための手段】
【０００８】
上記従来の使いすておむつの有する問題点を解決するための本発明は、以下の各発明を包含する。
（１）液透過性のトップシートと、液不透過性かつ通気性のバックシートと、これら両シートの間に配置された吸収体とを有し、前身頃と後身頃のうちのいずれか一方の身頃の両側縁部には機械的ファスナーのフック材を備えたファスニングテープが配置され、もう一方の身頃の前記バックシート側の面には前記ファスニングテープと係合可能なフロントシートが配置された展開型の使いすておむつにおいて、前記フロントシートは、通気性シート、好ましくはＪＩＳＬ１９０６に準じて測定した通気度が３０〜２００ｍｌ／ｍ2・ｓｅｃであるシートからなり、かつ、前記ファスニングテープの係合位置確認用の目印が印刷されていることを特徴とする使いすておむつ。
【０００９】
（２）前記フロントシートは、少なくとも２層の不織布を積層し、各層を熱エンボスにより固定して形成されており、かつ、少なくとも一層に前記ファスニングテープの係合位置確認用の目印が印刷されていることを特徴とする（１）項記載の使いすておむつ。
【００１０】
（３）前記フロントシートは、少なくとも第１不織布層とその下に配置された第２不織布層とからなり、前記目印は第１不織布に印刷されており、かつ、印刷部には、その上を覆って少なくとも１層のオーバーコート層が設けられていることを特徴とする（１）項又は（２）項に記載の使いすておむつ。
【００１１】
（４）前記フロントシートは、少なくとも第１不織布層とその下に配置された第２不織布層とからなり、前記目印は第２不織布層上に印刷されており、かつ、第１不織布層の目付が１０〜３０ｇ／ｍ2であることを特徴とする（１）項又は（２）項に記載の使いすておむつ。
【発明の効果】
【００１２】
本発明の使いすておむつは、フック材を備えたファスニングテープを係合するためのフロントシートが３０〜２００ｍｌ／ｍ2・ｓｅｃの通気度を有し、さらにフロントシートにファスニングテープの係合位置確認用の目印が印刷されているため、おむつ全体の通気性が高くなり、ムレ、カブレが防止され、着用者に快適な使用感を与えることができ、また、ファスニングテープを適正な位置に容易に止着することができる。
【００１３】
また、フロントシートを少なくとも２層の不織布を積層して形成し、少なくとも１層に目印を印刷することにより、上記の効果をより高めることができる。この場合、フロントシートを少なくとも第１不織布層とその下に配置された第２不織布層とで形成し、目印を第２不織布層に印刷し、かつ、第１不織布層の目付を１０〜３０ｇ／ｍ2とすることにより、おむつ着用時に印刷が剥がれ落ちるのを防止できるため、着用者の衣服や肌を汚すことがなく、また、第１不織布層を通して目印を容易に確認することができるので、ファスニングテープを適正な位置に容易に止着することができる。また、第１不織布層に目印を印刷する場合には、印刷部の上面を覆って少なくとも１層のオーバーコート層を形成することにより、おむつ着用時に印刷が剥がれ落ちるのを防止できるため、着用者の衣服や肌を汚すことがない。
【発明を実施するための最良の形態】
【００１４】
以下、図面を参照して、本発明の使いすておむつを詳細に説明するが、勿論、本発明はこれらによって何等制限されるものではない。
【００１５】
図１は、本発明の使いすておむつをトップシート側から見た場合の展開平面図であり、図２は、本発明の使いすておむつをバックシート側から見た場合の展開平面図である。また、図３及び図４は、図２に示すフロントシートをＸ−Ｘ’線に沿って切断した状態を示す断面図である。
【００１６】
図１及び図２において、使いすておむつ１は、液透過性のトップシート２と、液不透過性のバックシート３と、これら両シートの間に配置された吸収体４とから基本的に構成されており、着用者の腹側に位置する前身頃２０と、背側に位置する後身頃２１と、前後身頃の間に位置する股下部２２とを有している。また、おむつ１の長手方向両端部にはウエスト周り弾性体１３が配置され、長手方向両側縁部には脚周り弾性体１３’が配置されており、さらに、吸収体４の長手方向両側縁の外側には、脚周り弾性体１３’の内側に固定部８を有し、固定部８の内側に自由部９が位置し、該自由部９の自由端側に弾性体１０が配置されている一対の立体ギャザー７が配置されている。
【００１７】
また、使いすておむつ１は、バックシート３の外側面に、バックシート３を覆って不織布からなるカバーシート５が配置され、バックシート３の両側縁から延出するカバーシート５部分とトップシート２の両側縁部領域が張合わされてサイドフラップ６が形成されており、さらに、後身頃２１のサイドフラップ６の両側縁部には、機械的ファスナーのフック材１２を備えたファスニングテープ１１が配置され、前身頃２０のカバーシート５の上面には、ファスニングテープ１１と係合可能なフロントシート１４が配置されており、フロントシート１４には、ファスニングテープの係合位置確認用の目印１７が印刷されている。
【００１８】
本発明の使いすておむつにおいて、フロントシート１４は、通気性シートであり、ＪｌＳ  Ｌ  １９０６に準じて測定した通気度が３０〜２００ｍｌ／ｍ2・ｓｅｃであることが好ましい。フロントシートの通気度がこの範囲にあると、おむつのフロントシートを配置した部分の通気性が良好となり、ムレやカブレを防止することができる。通気度が３０ｍｌ／ｍ2・ｓｅｃ未満になると、フロントシートの通気性が悪くなるためおむつがムレ易くなり、通気度が２００ｍｌ／ｍ2・ｓｅｃを越えて高くなると、おむつ製造工程において、カットしたフロントシートをエアーで吸引・転写する際に吸引され難くなり製造効率が低下する。
【００１９】
このような通気度を有するフロントシートの好ましい例を図３及び図４に示す。図３において、フロントシート１４は、第１不織布層１５と、第１不織布層１５の下に配置された第２不織布層１６の２層の不織布からなり、両層を積層し、熱エンボスにより固定して形成されている。また、第１不織布層１５の上にはファスニングテープの係合位置確認用の目印１７が印刷されており、この場合、印刷部は、目印１７である印刷層の上を覆って、ファスニングテープとの係合の妨げとならないように、ニスや無色のインク等からなるオーバーコート層１８が設けられている。このように、フロントシート１４の表面上に目印１７を印刷する場合には、目印（印刷層）１７を覆ってオーバーコート層１８を設けることにより、オムツ着用時に印刷が剥がれ落ちるのを防止できるため、着用者の衣服や肌を汚すことがない。
【００２０】
また、図４において、フロントシート１４は、第１不織布層１５と、第１不織布層１５の下に配置された第２不織布層１６と、第２不織布層１６の下に配置された第３不織布層１９の３層の不織布からなり、各層を積層し、熱エンボスにより固定して形成されている。また、第２不織布層１６の上にはファスニングテープの係合位置確認用の目印１７が印刷されており、印刷部を覆って第１不織布層１５が積層されている。この場合、第１不織布層１５は、その目付が１０〜３０ｇ／ｍ2であることが好ましい。目付が１０ｇ／ｍ2未満になると、不織布層の強度が低下するためファスニングテープとの係合性が低下し、３０ｇ／ｍ2を越えて多くなると、不織布層が厚くなり、不織布層を通して目印を確認し難くなる。このように、印刷部を覆って不織布層を積層した構成のフロントシートを用いることにより、おむつ着用時に印刷が剥がれ落ちるのを防止できるため、着用者の衣服や肌を汚すことがない。
【００２１】
本発明において、フロントシートに印刷される目印は、直線や曲線の線状であっても良く、三角形、円形、四角形等の図形であっても良く、各種のキャラクター等の絵柄であっても良く、特に制限されるものではない。また、フロントシートを複数層の不織布で形成する場合には、目印は必ずしも１層の不織布面に印刷する必要はなく、２層以上の不織布面にそれぞれ異なる図形や絵柄を印刷し、全体として１つの目印となる模様を形成しても良い。
【００２２】
以下、本発明において使用される材料について説明するが、本発明は、これらによって何等制限されるものではない。
【００２３】
本発明において、フロントシートとしては、ポリエチレン、ポリプロピレン、ポリエステル、その他の熱可塑性樹脂を原料とした合成繊維からなる不織布により形成することができる。上記不織布は、上記原料の単体からなる繊維、または２種類の原料を使用した芯鞘繊維を１種類または複数混合させたものから構成される。更に、フロントシートが２層以上の不織布からなる場合、各層の不織布の構成繊維並びに製法は同一であってもよいし、異なっていてもよい。
【００２４】
また、フロントシートを形成する不織布のうち、最外層を形成する不織布の繊度は１〜３デニールであることが好ましく、繊度がこの範囲にあると、フック材との良好な係合力が得られる。繊度が１デニール未満になると、不織布の強度が低下してしまい、繊度が３デニールを越えて太くなると、フック材との係合力が低下する。
【００２５】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００２６】
本発明において、液不透過性、かつ、通気性のバックシートとしては、微孔を設けたポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを貼り合わせた積層構造のシートを用いることもできる。
【００２７】
本発明において、吸収体としては、通常の使いすておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型でも矩形でも良い。
【００２８】
本発明において、サイドフラップは、ポリエチレン、ポリプロピレン、ポリエステル、その他の熱可塑性樹脂を原料とした合成繊維からなる不織布により形成することができ、上記トップシート単独で、または、上記バックシートの両側縁から延出したカバーシート部分単独で形成しても良く、あるいは、上記トップシートとバックシートの吸収体の両側縁から外側へ延出する部分を積層して形成しても良い。さらに、バックシートの吸収体の両側縁から外側へ延出する部分に上記不織布を積層して形成することもできる。
【００２９】
本発明において、使いすておむつには、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維からなる通気性を有する機水性の不織布を用いて形成することができる。あるいは、サイドフラップを形成する不織布として広幅のものを用い、サイドフラップを形成すると共におむつの内側へ延出する部分で立体ギャザーを形成しても良い。さらに、トップシートとして広幅のものを用い、トップシートの吸収体の両側縁から延出する部分で立体ギャザーを形成しても良い。また、立体ギャザーの自由部の先端部領域には弾性体が配置されている。弾性体としては、天然系、合成系のウレタン糸、糸ゴム、平ゴム等の通常の使いすておむつに使用される弾性体をそのまま使用することができ、これらの弾性体を伸長状態で自由部の先端部領域に配置し、ホットメルト接着剤などにより接着固定される。
【００３０】
本発明において、脚周り開口部及びウエスト開口部の位置に弾性体を配置することができる。弾性体としては、天然系、合成系のウレタン糸、糸ゴム、平ゴム等の通常の使いすておむつに使用される弾性体をそのまま使用することができ、これらの弾性体を伸長状態で配置し、ホットメルト接着剤などにより接着固定される。
【００３１】
本発明において、ファスニングテープは、各種のフィルムまたは不織布シートを用いることができ、これらの材料を単独で、あるいは数種類の材料を積層して形成され、その一方の端部領域がサイドフラップに接着固定され、もう一方の端部領域には機械的ファスナーのフック材が取付けられる。また、フック材を取付けた部分の外側には、摘持部を有していることが好ましい。
【産業上の利用可能性】
【００３２】
本発明の使いすておむつは、フック材を備えたファスニングテープを係合するためのフロントシートが３０〜２００ｍｌ／ｍ2・ｓｅｃの通気度を有し、さらにフロントシートにファスニングテープの係合位置確認用の目印が印刷されている。そのため、おむつ全体の通気性が高くなり、ムレ、カブレが防止され、着用者に快適な使用感を与えることができると共に、ファスニングテープを適正な位置に容易に止着することが可能であり、乳幼児用を始めとして成人失禁者用の使いすておむつとして有用である。
【図面の簡単な説明】
【００３３】
【図１】本発明の使いすておむつをトップシート側から見た状態を示す展開平面図である。
【図２】本発明の使いすておむつをバックシート側から見た状態を示す展開平面図である。
【図３】図２に示すフロントシートをＸ−Ｘ’線に沿って切断した状態を示す断面図である。
【図４】図３とは異なる例を示す、図２に示すフロントシートをＸ−Ｘ’線に沿って切断した状態を示す断面図である。
【符号の説明】
【００３４】
１：使いすておむつ
２：トップシート
３：バックシート
４：吸収体
５：カバーシート
６：サイドフラップ
７：立体ギャザー
８：固定部
９：自由部
１０：弾性体
１１：ファスニングテープ
１２：フック材
１３：ウエスト周り弾性体
１３’：脚周り弾性体
１４：フロントシート
１５：第１不織布層
１６：第２不織布層
１７：目印（印刷層）
１８：オーバーコート層
１９：第３不織布層
２０：前身頃
２１：後身頃
２２：股下部
【図１】
2005137656.tif 000003
【図２】
2005137656.tif 000004
【図３】
2005137656.tif 000005
【図４】
2005137656.tif 000006